(57)【要約】      （修正有）【課題】作業員の技能差に関わらず、配線ケーブルと一次導体圧着端子との接続を確実に行える変流器を提供する。【解決手段】電源線に接続される一次導体１２と、一次導体１２に流れる大電流を、計器に出力する小電流に変換する変流器本体１０と、一次導体１２の両端部にそれぞれ圧着される一次導体圧着端子１４、１６と、を備える変流器１である。電源側の一次導体圧着端子１４は、一次導体１２の電源側端部に圧着される導体圧着スリーブ部３０と、導体圧着スリーブ部３０から延在し、電源線が電気的に接続される電源側接続部３２と、計器から延びている複数の配線ケーブルの中の、電源側の一次導体圧着端子１４に接続するための配線ケーブルに圧着される計器接続用スリーブ部３４と、を有する。計器接続用スリーブ部３４は、計器接続用スリーブ部３４に接続される配線ケーブルに関連付けられている色に色付けられている。【選択図】図１
2016058634.tif 000002
【特許請求の範囲】
【請求項１】
電源線に接続される一次導体と、
当該一次導体に流れる大電流を、計器に出力する小電流に変換する変流器本体と、
前記一次導体の両端部にそれぞれ圧着される一次導体圧着端子と、を備え、
電源側の前記一次導体圧着端子は、
前記一次導体の電源側端部に圧着される導体圧着スリーブ部と、当該導体圧着スリーブ部から延在し、前記電源線が電気的に接続される電源側接続部と、
前記計器から延びている複数の配線ケーブルの中の、前記電源側の一次導体圧着端子に接続するための配線ケーブルに圧着される計器接続用スリーブ部と、を有し、
前記計器接続用スリーブ部は、前記計器接続用スリーブ部に接続される前記配線ケーブルに関連付けられている色に色付けられていることを特徴とする変流器。
【請求項２】
前記電源側接続部は、平板状に形成されており、
前記計器接続用スリーブ部は、前記電源側接続部の一部から前記電源側接続部の板面に沿って、前記導体圧着スリーブ部に対して直角方向に延びることを特徴とする請求項１記載の変流器。
【請求項３】
前記計器接続用スリーブ部は、前記電源側接続部の一部から延在する板状の延在部と、当該延在部の一部から幅方向に沿って弧状に延在する一対の圧着片からなる圧着部と、を備え、
前記圧着部は、第１圧着部と第２圧着部とを有し、
前記第２圧着部における一対の圧着片の先端間の幅が、前記第１圧着部における一対の圧着片の先端間の幅より大きいことを特徴とする請求項２記載の変流器。
【請求項４】
前記一次導体圧着端子をカバーする絶縁カバーを更に備え、
当該絶縁カバーは、開閉自在に連結された一対の容器部を有し、当該一対の容器部はそれぞれ前記電源側接続部を収納する収納部と、前記導体圧着スリーブ部を覆う半筒状の導体側カバー部と、前記電源側接続部に接続される前記電源線の端子を覆う半筒状の電源側カバー部と、前記計器接続用スリーブ部とを覆う半筒状の計器側カバー部とを備え、
前記電源側接続部を前記収納部に収納して前記一対の容器部を閉じることにより、前記一次導体圧着端子に前記絶縁カバーを取り付けることを特徴とする請求項１〜３のいずれか１項記載の変流器。
【発明の詳細な説明】
【技術分野】
【０００１】
本発明は、大電流回路の電流測定に用いられ、大電流を計器において扱いやすい小電流に変換して、計器に流す変流器に関する。
【背景技術】
【０００２】
大電流回路の電流を測定する場合には大型の計器が必要になる。そこで、従来、計器にＣＴと称される変流器を取り付け、大電流回路の電流を計器で扱いやすい小電流に変換してから計器に流す。そして、計器において、測定した電流値に対して変流器で変換した割合に基づく演算を行うことによって実際の電流値を求めている。
【０００３】
図６は、変流器付計器の配線を示す配線構成図である。変流器付計器１００は、計器１１０と、変流器２００と、を備えている。ここで、計器１１０は三相３線式の電力量計であるとする。
【０００４】
変流器２００は、計測対象となる電流が流れる棒状の一次導体１２と、一次導体１２を流れる電流を計器１１０で扱いやすい小電流に変換する変流器本体１０とを備えている。変流器本体１０は、一次導体１２を流れる一次電流によって発生する磁界から二次電流を生成するものであり、この二次電流を出力する一対の二次端子を有している。
【０００５】
電柱の変圧器から引き込み線を介して建物に引き込まれる三相３線の電源ケーブルにおける、第一相の電源線及び第三相の電源線に変流器２００がそれぞれ直列に接続される。
【０００６】
計器１１０は、第一相の電源線に接続された変流器２００に接続される３つの端子１Ｓ、１Ｌ、Ｐ１と、第二相の電源線に接続される端子Ｐ２と、第三相の電源線に接続された変流器２００に接続される３つの端子３Ｓ、３Ｌ、Ｐ３と、の計７つの端子を有している。
計器１１０における端子１Ｓ、１Ｌは、変流器本体１０の一対の二次端子に接続され、端子Ｐ１は、一次導体１２の電源側端子に接続される。計器１１０における端子３Ｓ、３Ｌは、変流器本体１０の一対の二次端子に接続され、端子Ｐ３は、一次導体１２の電源側端子に接続される。
【０００７】
そして、端子１Ｓ、Ｐ１、Ｐ３、３Ｓ、３Ｌ、Ｐ２、１Ｌと、これらの端子に対応する変流器２００側の端子及び第二相の電源線と、が配線ケーブルによって接続される。なお、計器１１０と変流器２００とを接続する配線ケーブルは、計器用ビニルケーブルとして一つにまとめられている。また、配線ケーブルはそれぞれ色分けされており、端子１Ｓ、Ｐ１、Ｐ３、３Ｓ、３Ｌ、Ｐ２、１Ｌに対して、黒、赤、青、茶、黄、白、緑の配線ケーブルが対応する。なお、以下の説明において、これら７本の配線ケーブルをそれぞれ配線ケーブル（黒）、配線ケーブル（赤）、・・・、配線ケーブル（緑）と称する場合がある。
【０００８】
また、従来、この種の技術としては、特許文献１に記載された技術がある。特許文献１に開示された計器一体型計器用変成器によれば、電力量を計量するための計器用変成器であって、計器用変圧器と、変流器と、計器用変圧器と変流器の出力が送られる計器類とを備え、計器用変圧器、変流器及び計器類が一体に製造され、計器類は、計器本体とは別にそれぞれ表示装置を有しており、計器本体と対応する表示装置間は通信手段によりつながれている。このような構成を有することにより、計器用変成器と計器類の組み合わせの人為的なミス、誤配線等が発生しえない計器一体型計器用変成器を提供することができる。
【先行技術文献】
【特許文献】
【０００９】
【特許文献１】特開２００６−１１２８３１号公報
【発明の概要】
【発明が解決しようとする課題】
【００１０】
ところで、従来、図６に示すように、計器１１０から延びる配線ケーブル（赤）は、一次導体１２の電源側に接続される。しかし、一次導体１２の電源側に圧着された一次導体圧着端子と負荷側に圧着された一次導体圧着端子とは形状が似ているために、計器１１０から延びる配線ケーブル（赤）を負荷側の一次導体圧着端子に誤って接続してしまうおそれがある。
【００１１】
また、従来、計器から延びる配線ケーブルを一次導体圧着端子に接続する際に、その施工方法について取決めがない。このため、施工方法については作業員が適宜決定する。しかし、この場合、作業者毎の技能差が施工結果に反映されやすくなり、作業習熟度が低い作業員が施工した場合、配線ケーブルと一次導体圧着端子との接続が十分に行われていない可能性が残る。ここで、配線ケーブルと一次導体圧着端子との接続状態が確認できれば、再度作業をやり直すことが可能である。しかし、現状は、一次導体圧着端子に絶縁テープを巻き付けるか、あるいは絶縁カバーを取り付けてこの絶縁カバーの周りに絶縁テープを巻き付けるといった絶縁処理が施されているため、配線ケーブルと一次導体圧着端子との接続状態を確認することは困難である。
【００１２】
本発明は、このような問題点を解決し、作業員の技能差に関わらず、配線ケーブルと一次導体圧着端子との接続作業を容易かつ確実に行うことを実現した変流器を提供することを目的とする。
【課題を解決するための手段】
【００１３】
前記目的を達成するため、本発明は、次に記載する構成を備えている。
【００１４】
（１）  電源線に接続される一次導体と、当該一次導体に流れる大電流を、計器に出力する小電流に変換する変流器本体と、前記一次導体の両端部にそれぞれ圧着される一次導体圧着端子と、を備え、電源側の前記一次導体圧着端子は、前記一次導体の電源側端部に圧着される導体圧着スリーブ部と、当該導体圧着スリーブ部から延在し、前記電源線が電気的に接続される電源側接続部と、前記計器から延びている複数の配線ケーブルの中の、前記電源側の一次導体圧着端子に接続するための配線ケーブルに圧着される計器接続用スリーブ部と、を有し、前記計器接続用スリーブ部は、前記計器接続用スリーブ部に接続される前記配線ケーブルに関連付けられている色に色付けられていることを特徴とする変流器。
【００１５】
（１）によれば、電源側の一次導体圧着端子が計器接続用スリーブ部を備えているため、計器接続用スリーブ部を確認することにより、電源側の一次導体圧着端子か負荷側の一次導体圧着端子かを識別することが容易に可能となる。このため、計器から延びている配線ケーブルを負荷側の一次導体圧着端子に接続してしまうことを未然に防ぐことが可能になる。また、計器接続用スリーブ部に配線ケーブルを挿入した状態で圧縮するという比較的困難性が低い作業で接続できる。しかも、計器接続用スリーブ部は、計器接続用スリーブ部に接続される配線ケーブルに関連付けられている色に色付けられており、例えば、配線ケーブルの色が赤であれば、計器接続用スリーブ部を赤に色付けられているため、配線ケーブルと計器接続用スリーブ部との接続を間違えてしまうことが容易に防止できる。このように、作業員の技能差に関わらず、配線ケーブルと一次導体圧着端子との接続を容易かつ確実に行うことが可能になる。
【００１６】
（２）  （１）において、前記電源側接続部は、平板状に形成されており、前記計器接続用スリーブ部は、前記電源側接続部の一部から前記電源側接続部の板面に沿って、前記導体圧着スリーブ部に対して直角方向に延びることを特徴とする変流器。
【００１７】
（２）によれば、一次導体が、配線ケーブルと計器接続用スリーブ部との圧着作業を行う際の障害になりにくくなる。これにより、作業性を向上させることが可能になる。
【００１８】
（３）  （２）において、前記計器接続用スリーブ部は、前記電源側接続部の一部から延在する板状の延在部と、当該延在部の一部から幅方向に沿って弧状に延在する一対の圧着片からなる圧着部と、を備え、前記圧着部は、第１圧着部と第２圧着部とを有し、前記第２圧着部における一対の圧着片の先端間の幅が、前記第１圧着部における一対の圧着片の先端間の幅より大きいことを特徴とする変流器。
【００１９】
（３）によれば、配線ケーブルが太い場合でも細い場合でも、計器接続用スリーブ部に確実に圧着することが可能になる。
【００２０】
（４）  （１）〜（３）において、前記一次導体圧着端子をカバーする絶縁カバーを更に備え、当該絶縁カバーは、開閉自在に連結された一対の容器部を有し、当該一対の容器部はそれぞれ前記電源側接続部を収納する収納部と、前記導体圧着スリーブ部を覆う半筒状の導体側カバー部と、前記電源側接続部に接続される前記電源線の端子を覆う半筒状の電源側カバー部と、前記計器接続用スリーブ部とを覆う半筒状の計器側カバー部とを備え、前記電源側接続部を前記収納部に収納して前記一対の容器部を閉じることにより、前記一次導体圧着端子に前記絶縁カバーを取り付けることを特徴とする変流器。
【００２１】
（４）によれば、一次導体圧着端子に絶縁カバーを取り付けることにより、一次導体圧着端子周囲の絶縁性が維持されるようになり、従来における絶縁テープを巻き付ける作業を省略あるいは必要に応じて行うようにすることが可能になる。これにより、作業性の向上、作業時間の短縮が図れる。
【発明の効果】
【００２２】
本発明によれば、作業員の技能差に関わらず、配線ケーブルと一次導体圧着端子との接続作業を容易かつ確実に行うことが可能になる。
【図面の簡単な説明】
【００２３】
【図１】本発明の一実施形態における変流器１の外観を示す斜視図である。
【図２】電源側の一次導体圧着端子１４の構成を示す斜視図である。
【図３】計器接続用スリーブ部３４に配線ケーブルが接続された状態を示す斜視図である。
【図４】絶縁カバー５０の構成を示す説明図である。
【図５】絶縁カバー５０に電源側の一次導体圧着端子１４を収納した状態を示す図である。
【図６】変流器付計器の配線を示す配線構成図である。
【発明を実施するための形態】
【００２４】
以下、本発明の実施形態について、図面を参照しながら詳細に説明する。
【００２５】
図１は、本発明の一実施形態における変流器１の外観を示す斜視図である。変流器１は、変流器本体１０と、一次導体１２と、一次導体圧着端子１４、１６と、二次端子１８、２０と、を備えている。なお、図６に示す部材と同一の部材又は同一機能の部材については、同一の符号が付してある。
また、変流器１は、図６に示す変流器２００と同様に、計器１１０とセットで用いられる。このため、変流器１と計器１１０との配線は、図６に示す変流器２００と計器１１０との配線と同一である。
【００２６】
次に、変流器１の構成について説明する。ここでは、電源ケーブルの第一相の電源線に接続される変流器１を例として説明する。
変流器本体１０は、中央に円柱状の孔部２２ａが形成された略中空円柱形部分を有する筐体２２の内部に、円形の鉄心（図示せず）と、この鉄心（図示せず）に巻き付けられる二次巻線（図示せず）とを収納したものである。二次巻線（図示せず）の両端は、二次端子１８、２０にそれぞれ電気的に接続されている。
【００２７】
一次導体１２は、筐体２２の孔部２２ａに挿入される導電性を有する棒状部材である。
一次導体圧着端子１４は、一次導体１２の一端部に圧着され、一次導体圧着端子１６は、一次導体１２の他端部に圧着される。一次導体１２は、第一相の電源線に直列に接続される。この際、一次導体圧着端子１４は電源側となり、一次導体圧着端子１６は負荷側となるように接続される。なお、筐体２２表面における一次導体圧着端子１４側（電源側）には「Ｋ」と表示されており、一次導体圧着端子１６側（負荷側）には「Ｌ」と表示されている。
【００２８】
二次端子１８、２０は、筐体２２の外部に設置されている。二次端子１８、２０の間には、一次導体１２に一次電流が流れることによって二次巻線（図示せず）に発生する二次電流が流れる。
【００２９】
図２は、電源側の一次導体圧着端子１４の構成を示す斜視図である。一次導体圧着端子１４は、導体圧着スリーブ部３０と、電源側接続部３２と、計器接続用スリーブ部３４と、によって構成されている。導体圧着スリーブ部３０は、一次導体１２が挿入可能な管状に形成されており、導体圧着スリーブ部３０に一次導体１２の一端部を挿入して導体圧着スリーブ部３０を圧縮することによって一次導体１２に固定される。
【００３０】
電源側接続部３２は、導体圧着スリーブ部３０の先端部に連結されており、導体圧着スリーブ部３０の長手方向に沿って延在している平板状の部分である。電源側接続部３２の中央部には貫通孔３２ａが形成されている。電源側接続部３２は、電源線の端部に接続されている端子６０（図５参照）に電気的に接続される。すなわち、電源線の端部の端子６０（図５参照）に形成されている孔部と貫通孔３２ａとを一致させ、貫通孔３２ａにボルトを通してナット締めをすることにより、電源線と一次導体圧着端子１４とが電気的に接続される。
【００３１】
計器接続用スリーブ部３４は、延在部４０と、第１圧着部４２と、第２圧着部４４とによって構成されている。延在部４０は、電源側接続部３２の一部から導体圧着スリーブ部３０の軸方向、言い換えれば一次導体１２の長手方向に対して直角方向に延在する板状の部分である。第１圧着部４２は、延在部４０の一部から幅方向に沿って弧状に延在する一対の圧着片４２ａ、４２ｂからなる。第２圧着部４４は、第１圧着部４２と並べられ、延在部４０の一部から幅方向に沿って弧状に延在する一対の圧着片４４ａ、４４ｂからなる。
【００３２】
また、延在部４０は、電源側接続部３２との付け根部分から幅が狭まるように延在する等脚台形状の部分と、この等脚台形状の部分から延在する第１の矩形部分と、第１の矩形部分から延在しかつ第１の矩形部分より幅広の第２の矩形部分とによって構成されている。一対の圧着片４２ａ、４２ｂは第１の矩形部分から延在し、一対の圧着片４４ａ、４４ｂは第２の矩形部分から延在している。
【００３３】
計器接続用スリーブ部３４を正面視した場合、第１圧着部４２及び第２圧着部４４はＣ字形に形成されている。また、一対の圧着片４２ａ、４２ｂ及び一対の圧着片４４ａ、４４ｂは同形であるため、一対の圧着片４２ａ、４２ｂの先端同士の幅は、一対の圧着片４４ａ、４４ｂの先端同士の幅より小さくなっている。このため、第２圧着部４４には、第１圧着部４２に挿入可能な最大径の配線ケーブルよりも太い配線ケーブルを挿入することが可能である。計器接続用スリーブ部３４には、計器１１０の端子Ｐ１から延びる赤色の配線ケーブルに関連付けて、赤色の塗料が焼き付けられている。
【００３４】
なお、負荷側の一次導体圧着端子１６は、一次導体圧着端子１４から計器接続用スリーブ部３４を除去したものである。
また、電源ケーブルの第三相の電源線に接続される変流器１については、計器接続用スリーブ部３４に、計器１１０の端子Ｐ１から延びる青色の配線ケーブルに関連付けて、青色の塗料が焼き付けられている以外は、第一相の電源線に接続される変流器１と同一構成である。
【００３５】
次に、計器１１０から延びる配線ケーブルを、一次導体圧着端子１４に接続する作業手順について説明する。
【００３６】
まず、作業員は、一次導体圧着端子１４を視認して計器接続用スリーブ部３４の存在を確認する。計器接続用スリーブ部３４が存在する場合には電源側の一次導体圧着端子１４であることが確認され、計器接続用スリーブ部３４が存在しない場合には負荷側の一次導体圧着端子１６であることが確認できる。
【００３７】
次に、計器接続用スリーブ部３４に焼き付けられている色を確認し、その色と同色の配線ケーブルの端部を計器接続用スリーブ部３４に挿入する。この際、配線ケーブルが比較的太い場合には、計器接続用スリーブ部３４の第２圧着部４４に挿入する。配線ケーブルが比較的細い場合には、計器接続用スリーブ部３４の第２圧着部４４及び第１圧着部４２に挿入する。そして、作業員は、ペンチのような挟み付けるための工具を用いて、計器接続用スリーブ部３４を圧縮することにより、図３に示すように、一次導体圧着端子１４の計器接続用スリーブ部３４に配線ケーブルが接続される。
【００３８】
一次導体圧着端子１４への配線ケーブルの接続が終了し、接続状態が良好であることが確認された後、一次導体圧着端子１４及びその周辺に絶縁テープを複数回巻き付けることにより、充電部が外部に露出しないようにする。また、図４に示す、絶縁性及び耐熱性を有する絶縁カバー５０を、一次導体圧着端子１４を覆うように取り付けてもよい。
【００３９】
図４は、絶縁カバー５０の構成を示す説明図であり、図４（ａ）は閉じた状態、図４（ｂ）は開いた状態をそれぞれ示す。絶縁カバー５０は、一対の容器部５２、５２と、温度表示シール５６と、封印線５８と、を備えている。
【００４０】
容器部５２は、略六角形の底板の外周に壁面部を立設してなる容器体からなり、一対の容器部５２、５２は、ヒンジ部５４によって互いに開閉可能に連結されている。一対の容器部５２、５２は、絶縁性樹脂によって構成されている。ヒンジ部５４は、一の壁面部の上端同士を連結する薄肉部によって形成されている。
【００４１】
容器部５２は、一次導体圧着端子１４の電源側接続部３２を収納する収納部５２ａと、一対の容器部５２、５２を、図４（ａ）に示すように閉じた状態で保持する保持部５２ｂと、配線ケーブルが通る半筒状の配線ケーブルカバー部５２ｃと、電源線が通る半筒状の電源線カバー部５２ｄと、一次導体圧着端子１４の導体圧着スリーブ部３０が通る半筒状の圧着スリーブカバー部５２ｅと、封印孔５２ｆを備えている。このように、配線ケーブルカバー部５２ｃは計器側カバー部に、電源線カバー部５２ｄは電源側カバー部に、圧着スリーブカバー部５２ｅは導体側カバー部に、それぞれ相当する。
【００４２】
収納部５２ａは、容器部５２の本体の内側中央部に形成されている。保持部５２ｂ及び配線ケーブルカバー部５２ｃは、ヒンジ部５４を有する壁面部に対向する壁面部の上端部に形成されている。保持部５２ｂは、一方の容器部５２に形成された凸部と、他方の容器部５２に形成され、この凸部に嵌合する凹部とによって構成されている。配線ケーブルカバー部５２ｃは、ヒンジ部５４の回動軸に沿った方向及び収納部５２ａの深さ方向に対して直角方向に延在している。電源線カバー部５２ｄは、容器部５２の本体におけるヒンジ部５４の回動軸方向に互いに対向する一方の壁面部から、ヒンジ部５４の回動軸に沿って延在している。電源線カバー部５２ｄの根元部分は蛇腹状に形成されている。圧着スリーブカバー部５２ｅは、容器部５２の本体におけるヒンジ部５４の回動軸方向に互いに対向する他方の壁面部から、ヒンジ部５４の回動軸方向に沿って延在している。封印孔５２ｆは、保持部５２ｂの側方に形成されている。
【００４３】
一対の容器部５２、５２は、保持部５２ｂを除いてヒンジ部５４の回動軸に対して互いに鏡像形状である。このため、一対の容器部５２、５２を互いに回動させ、保持部５２ｂの凹部に凸部を嵌合させて一対の容器部５２、５２を閉じた状態にすることにより、配線ケーブルカバー部５２ｃ、電源線カバー部５２ｄ及び圧着スリーブカバー部５２ｅ同士が一体化して、中空の截頭円錐形に形成される。この時、図４（ａ）に示すように、電源線カバー部５２ｄ及び圧着スリーブカバー部５２ｅは、同一軸線に沿って互いに反対方向に延出している。また、一対の容器部５２、５２の封印孔５２ｆ、５２ｆが一致して一つの貫通孔が形成される。
【００４４】
温度表示シール５６は、片方の容器部５２の外面に貼着され、貼着部位の温度に応じて表示色が変化する部材である。封印線５８は、封印孔５２ｆに通し、一対の容器部５２、５２が開かないように連結する部材である。
【００４５】
そして、図５に示すように、一方の容器部５２の収納部５２ａ内に、配線ケーブル及び電源線の端子６０が接続されている電源側接続部３２を収納する。この際、配線ケーブルを配線ケーブルカバー部５２ｃに、電源線を電源線カバー部５２ｄに、導体圧着スリーブ部３０を圧着スリーブカバー部５２ｅに配置する。更に、他方の容器部５２を回動させて、保持部５２ｂの凹部に凸部を嵌合させることにより、絶縁カバー５０を一次導体圧着端子１４に取り付ける作業が完了する。
【００４６】
作業員は、絶縁カバー５０の取付作業の完了し、更に、他の配線ケーブルの接続作業が完了した後、電源ケーブルに通電して計器１１０が正常に動作しているか否かを確認する。この時、作業員は、絶縁カバー５０に貼着されている温度表示シール５６の表示色を視認し、異常に発熱しているか否かを判断する。異常に発熱していると判断した場合には、電源ケーブルへの通電を停止し、絶縁カバー５０を取り外して一次導体圧着端子１４への各線の接続状況を確認する。そして、接続が十分でない箇所があれば絶縁カバー５０を開いて再度接続作業を行う。
異常に発熱していないと判断した場合には、そのまま絶縁カバー５０の封印孔５２ｆに封印線５８（図４（ａ）参照）を巻付け、絶縁カバー５０が開かないようにするとともに、封印されていることが視認できるようにする。なお、従来通り、絶縁カバー５０に絶縁テープを巻き付けてもよい。
【００４７】
以上説明したように構成された本実施形態によれば、次に記載する作用効果を奏する。
本実施形態によれば、電源側の一次導体圧着端子１４が計器接続用スリーブ部３４を備えているため、計器接続用スリーブ部３４を確認することにより、電源側の一次導体圧着端子１４か負荷側の一次導体圧着端子１６かを識別することが容易に可能となる。このため、計器から延びている配線ケーブルを負荷側の一次導体圧着端子１６に接続してしまうことを未然に防ぐことが可能になる。また、計器接続用スリーブ部３４に配線ケーブルを挿入した状態で圧縮するという比較的困難性が低い作業で両者が接続できる。しかも、計器接続用スリーブ部３４は、計器接続用スリーブ部に接続される配線ケーブルに関連付けられている色に色付けられており、例えば、配線ケーブルの色が赤であれば、計器接続用スリーブ部３４が赤に色付けられているため、配線ケーブルと計器接続用スリーブ部３４との接続を間違えてしまうことが容易に防止できる。このように、どの配線ケーブルをどこに接続するのか容易に判別可能であり、しかも、接続作業自体も簡単であるため、作業員の技能差に関わらず、配線ケーブルと一次導体圧着端子１４との接続を確実に行うことが可能になる。
【００４８】
また本実施形態によれば、計器接続用スリーブ部３４は、電源側接続部３２の一部から一次導体１２の長手方向に対して直角方向に延びている。このため、通常、一次導体１２と電源線とが接続された場合、両者は直線状になることから、一次導体１２や電源線が、配線ケーブルと計器接続用スリーブ部３４との圧着作業を行う際の障害になりにくくなる。これにより、作業性を向上させることが可能になる。
【００４９】
また本実施形態によれば、計器接続用スリーブ部３４は、第１圧着部４２と第２圧着部４４とを有しており、第２圧着部４４における一対の圧着片４４ａ、４４ｂの先端間の幅が、第１圧着部４２における一対の圧着片４２ａ、４２ｂの先端間の幅より大きい。このため、配線ケーブルが太い場合でも細い場合でも、計器接続用スリーブ部３４に確実に圧着することが可能になる。
【００５０】
また本実施形態によれば、一次導体圧着端子１４に絶縁カバー５０を取り付けることにより、一次導体圧着端子１４周囲の絶縁性が維持されるようになり、従来における絶縁テープを巻き付ける作業を省略あるいは必要に応じて行うようにすることが可能になる。これにより、作業性の向上、作業時間の短縮が図れる。また本実施形態によれば、一次導体圧着端子１４に絶縁カバー５０に片方の容器部５２に収納した際に、作業員が計器接続用スリーブ部３４による配線ケーブルと圧着状態上方から視認できる。このため、電線圧縮の出来上がりが容易に確認可能になり、絶縁カバー５０を取り付けた後に、電線圧縮を確認するような事態の発生を低減できる。
【符号の説明】
【００５１】
１  変流器
１０  変流器本体
１２  一次導体
１４、１６  一次導体圧着端子
１８、２０  二次端子
２２  筐体
２２ａ  孔部
３０  導体圧着スリーブ部
３２  電源側接続部
３２ａ  貫通孔
３４  計器接続用スリーブ部
４０  延在部
４２  第１圧着部
４２ａ、４２ｂ  圧着片
４４  第２圧着部
４４ａ、４４ｂ  圧着片
５０  絶縁カバー
５２  容器部
５２ａ  収納部
５２ｂ  保持部
５２ｃ  配線ケーブルカバー部
５２ｄ  電源線カバー部
５２ｅ  圧着スリーブカバー部
５４  ヒンジ部
５６  温度表示シール
５８  封印線
６０  端子
１１０  計器
【図１】
2016058634.tif 000003
【図２】
2016058634.tif 000004
【図３】
2016058634.tif 000005
【図４】
2016058634.tif 000006
【図５】
2016058634.tif 000007
【図６】
2016058634.tif 000008